(57)【要約】      （修正有）【課題】ディジタルカメラで撮影した画像を大型ディスプレイに表示することができる映像再生システムであって、大型ディスプレイに表示される撮影画像とテレビ番組の映像のレイアウトを決定できる。【解決手段】ディジタルカメラと、大型のディスプレイを有し、テレビ放送を受信可能で、撮影画像の撮影情報の少なくとも一部を記憶するテレビジョンとを備え、テレビジョンは、選択したテレビ番組の番組情報をディジタルカメラに送信し、ディジタルカメラは、受信した番組情報に基づいて、撮影画像の画像データの中から、番組情報に関連する撮影情報を有する画像データを読み出し、テレビジョンに送信し、テレビジョンは、該画像データに基づいて、ディスプレイに撮影画像を表示するように構成され、ディジタルカメラの操作部を操作して、テレビジョンのディスプレイに表示される撮影画像とテレビ番組の映像の表示レイアウトが決定可能に構成されている。【選択図】図１
2008079111.tif 000002
【特許請求の範囲】
【請求項１】
撮影画像の撮影情報を記憶し、第一のディスプレイを有するディジタルカメラと、
前記ディジタルカメラで撮影された撮影画像の画像データを記憶する画像データ記憶装置と、
前記第一のディスプレイよりも大きい第二のディスプレイを有し、テレビ放送を受信可能で、前記撮影画像の前記撮影情報の少なくとも一部を記憶する映像再生装置とを備え、
前記映像再生装置が、記憶している前記撮影画像の前記撮影情報に基づいて、受信したテレビ放送のテレビ番組を選択し、選択したテレビ番組の番組情報を前記ディジタルカメラに送信し、
前記ディジタルカメラが、前記映像再生装置から受信した番組情報に基づいて、前記画像データ記憶装置に記憶された撮影画像の画像データの中から、番組情報に関連する撮影情報を有する画像データを読み出して、前記映像再生装置に送信し、
前記映像再生装置が、前記ディジタルカメラから受信した画像データに基づいて、前記第二のディスプレイに、撮影画像を表示するように構成され、
前記ディジタルカメラが、前記ディジタルカメラの操作部を操作することによって、前記第二のディスプレイに表示される前記撮影画像の表示レイアウトを決定可能に構成されたことを特徴とする画像再生システム。
【請求項２】
第一のディスプレイを有し、テレビ放送を受信可能で、撮影画像の撮影情報を記憶するディジタルカメラと、
前記ディジタルカメラで撮影された撮影画像の画像データを記憶する画像データ記憶装置と、
テレビ放送を受信可能で、前記第一のディスプレイよりも大きい第二のディスプレイを有する映像再生装置とを備え、
前記ディジタルカメラが、受信したテレビ放送のテレビ番組の番組情報に基づいて、前記画像データ記憶装置に記憶された撮影画像の画像データの中から、番組情報に関連する撮影情報を有する画像データを読み出して、前記映像再生装置に送信し、
前記映像再生装置が、前記ディジタルカメラから受信した画像データに基づいて、前記第二のディスプレイに、撮影画像を表示するように構成され、
前記ディジタルカメラが、前記ディジタルカメラの操作部を操作することによって、前記第二のディスプレイに表示される前記撮影画像の表示レイアウトを決定可能に構成されたことを特徴とする画像再生システム。
【請求項３】
前記映像再生装置が、前記撮影画像を、テレビ番組の映像とともに、第二のディスプレイに表示するように構成されたことを特徴とする請求項１または２に記載の画像再生システム。
【請求項４】
前記映像再生装置がテレビジョンによって構成されたことを特徴とする請求項１ないし３のいずれか１項に記載の画像再生システム。
【請求項５】
前記画像データ記憶装置がパーソナルコンピュータによって構成されたことを特徴とする請求項１ないし４のいずれか１項に記載の画像再生システム。
【請求項６】
前記画像データ記憶装置がディジタルカメラに内蔵されていることを特徴とする請求項１ないし４のいずれか１項に記載の画像再生システム。
【請求項７】
前記撮影画像の前記撮影情報が、撮影日時、撮影場所を特定するキーワードおよび位置特定情報よりなる群から選ばれた少なくとも１つの情報を含んでいることを特徴とする請求項１ないし６のいずれか１項に記載の画像再生システム。
【請求項８】
撮影日時および撮影場所ごとに、フォルダが生成され、前記撮影画像の前記撮影情報がグループ化されて、前記ディジタルカメラに記憶されていることを特徴とする請求項７に記載の画像再生システム。
【請求項９】
前記ディジタルカメラが、選択された撮影画像に対応する画像データに編集処理を施して、前記映像再生装置に送信するように構成されたことを特徴とする請求項１ないし８のいずれか１項に記載の画像再生システム。
【請求項１０】
前記ディジタルカメラが、前記ディジタルカメラの操作部を操作することによって、前記第二のディスプレイに表示される前記撮影画像およびテレビ番組の映像の表示レイアウトを決定可能に構成されたことを特徴とする請求項３ないし９のいずれか１項に記載の画像再生システム。
【請求項１１】
前記ディジタルカメラが、前記表示レイアウトを自動的に設定する自動設定モードと、前記表示レイアウトをマニュアルで設定するマニュアル設定モードとを、前記操作部を用いて、選択可能に構成されたことを特徴とする請求項３ないし１０のいずれか１項に記載の画像再生システム。
【請求項１２】
前記ディジタルカメラが、前記自動設定モードが選択されたときに、前記第一のディスプレイに、前記撮影画像および前記テレビ番組の映像を表示する表示領域が複数表示され、前記操作部を操作することによって、前記第一のディスプレイに表示された前記複数の表示領域の中から、前記撮影画像を表示する表示領域および前記テレビ番組の映像を表示する表示領域を選択可能に構成され、前記操作部を操作することによって、前記第一のディスプレイに表示される前記表示領域の数を増減可能に構成されたことを特徴とする請求項１１に記載の画像再生システム。
【請求項１３】
前記ディジタルカメラが、前記マニュアル設定モードが選択されたときに、前記第一のディスプレイに、前記第二のディスプレイに対応する表示領域が表示され、前記操作部を操作することによって、前記表示領域を所望の位置に移動させ、前記撮影画像を表示する表示領域または前記テレビ番組の映像を表示する表示領域として決定可能に構成されたことを特徴とする請求項１１または１２に記載の画像再生システム。
【発明の詳細な説明】
【技術分野】
【０００１】
本発明は、画像再生システムに関するものであり、さらに詳細には、テレビジョンなどの大画面を有する画像表示装置が受信している番組情報に基づいて、ディジタルカメラで撮影した画像を選択して、画像表示装置の画面に表示することができる画像再生システムに関するものである。
【背景技術】
【０００２】
従来のフィルムカメラにあっては、通常、撮影した画像はプリントアウトされて、鑑賞されるが、ディジタルカメラの場合には、撮影した画像は、電気的なディジタルデータとして、パーソナルコンピュータに保存されることが多いため、ディジタルカメラの普及に伴って、撮影した画像を鑑賞する機会が大幅に減少し、その結果、撮影した画像が鑑賞されることなく、忘れ去られてしまうおそれがある。
【０００３】
このような状況に鑑み、特開２００５−３１８３０５号公報は、ディジタルカメラのメモリに記録された画像データおよび撮影日時、撮影場所などの撮影情報を読み出して、受信している番組情報と照合し、受信している番組情報とディジタルカメラから読み出した撮影情報が所定の条件を満たしているときに、その撮影情報に対応する画像データに基づいて、ディジタルカメラによって撮影された画像を再生し、番組映像とともに、画面に表示するように構成されテレビジョンなどの映像再生装置を提案している。
【０００４】
かかる映像再生装置によれば、テレビジョンなどの映像再生装置が受信している番組と所定の関連性を有するディジタルカメラの撮影画像が自動的に映像再生装置の画面に表示されるから、たとえば、ユーザーが旅行をしたことがある場所に関する番組をテレビジョンが受信し、番組映像を画面に表示しているときに、その旅行の際に撮影をした画像を同時に、テレビジョンの画面に表示させることができ、したがって、ディジタルカメラによって撮影されていながら、忘れ去られた撮影画像や忘れ去られかけている撮影画像を、その撮影画像に関連する番組を映像再生装置が受信したときに、映像再生装置の画面に表示して、鑑賞することが可能になるという利点がある。
【特許文献１】特開２００５−３１８３０５号公報
【発明の開示】
【発明が解決しようとする課題】
【０００５】
しかしながら、この映像再生装置は、ディジタルカメラのメモリに記録された画像データおよび撮影日時、撮影場所などの撮影情報を読み出して、受信しているテレビ番組の番組情報と照合し、受信しているテレビ番組の番組情報と所定の関連性を有するディジタルカメラの撮影画像を自動的にテレビジョンの画面に表示するように構成されているため、テレビ番組の映像と撮影画像の表示レイアウトはあらかじめ決定されており、ユーザーは、テレビ番組の映像と撮影画像の表示レイアウトを所望のように設定することができず、したがって、撮影画像を、テレビ番組の映像とともに、テレビジョンの画面に表示して、十分に楽しむことができないという問題があった。
【０００６】
したがって、本発明は、受信中のテレビ放送のテレビ番組の番組情報に基づいて、ディジタルカメラで撮影した画像を大型ディスプレイに表示することができる映像再生システムであって、簡易に、かつ、所望のように、大型ディスプレイに表示される撮影画像とテレビ番組の映像のレイアウトを決定して、撮影画像とテレビ番組の映像を大型ディスプレイに表示することができる画像再生システムを提供することを目的とするものである。
【課題を解決するための手段】
【０００７】
本発明のかかる目的は、撮影画像の撮影情報を記憶し、第一のディスプレイを有するディジタルカメラと、前記ディジタルカメラで撮影された撮影画像の画像データを記憶する画像データ記憶装置と、前記第一のディスプレイよりも大きい第二のディスプレイを有し、テレビ放送を受信可能で、前記撮影画像の前記撮影情報の少なくとも一部を記憶する映像再生装置とを備え、前記映像再生装置が、記憶している前記撮影画像の前記撮影情報に基づいて、受信したテレビ放送のテレビ番組を選択し、選択したテレビ番組の番組情報を前記ディジタルカメラに送信し、前記ディジタルカメラが、前記映像再生装置から受信した番組情報に基づいて、前記画像データ記憶装置に記憶された撮影画像の画像データの中から、番組情報に関連する撮影情報を有する画像データを読み出して、前記映像再生装置に送信し、前記映像再生装置が、前記ディジタルカメラから受信した画像データに基づいて、前記第二のディスプレイに、撮影画像を表示するように構成され、前記ディジタルカメラが、前記ディジタルカメラの操作部を操作することによって、前記第二のディスプレイに表示される前記撮影画像の表示レイアウトを決定可能に構成されたことを特徴とする画像再生システムによって達成される。
【０００８】
本発明の前記目的はまた、第一のディスプレイを有し、テレビ放送を受信可能で、撮影画像の撮影情報を記憶するディジタルカメラと、前記ディジタルカメラで撮影された撮影画像の画像データを記憶する画像データ記憶装置と、テレビ放送を受信可能で、前記第一のディスプレイよりも大きい第二のディスプレイを有する映像再生装置とを備え、前記ディジタルカメラが、受信したテレビ放送のテレビ番組の番組情報に基づいて、前記画像データ記憶装置に記憶された撮影画像の画像データの中から、番組情報に関連する撮影情報を有する画像データを読み出して、前記映像再生装置に送信し、前記映像再生装置が、前記ディジタルカメラから受信した画像データに基づいて、前記第二のディスプレイに、撮影画像を表示するように構成され、前記ディジタルカメラが、前記ディジタルカメラの操作部を操作することによって、前記第二のディスプレイに表示される前記撮影画像の表示レイアウトを決定可能に構成されたことを特徴とする画像再生システムによって達成される。
【０００９】
本発明の好ましい実施態様においては、前記映像再生装置が、前記撮影画像を、テレビ番組の映像とともに、第二のディスプレイに表示するように構成されている。
【００１０】
本発明の好ましい実施態様においては、前記映像再生装置がテレビジョンによって構成されている。
【００１１】
本発明の好ましい実施態様においては、前記画像データ記憶装置がパーソナルコンピュータによって構成されている。
【００１２】
本発明の別の好ましい実施態様においては、前記画像データ記憶装置がディジタルカメラに内蔵されている。
【００１３】
本発明の好ましい実施態様においては、前記撮影画像の前記撮影情報が、撮影日時、撮影場所を特定するキーワードおよび位置特定情報よりなる群から選ばれた少なくとも１つの情報を含んでいる。
【００１４】
本発明のさらに好ましい実施態様においては、撮影日時および撮影場所ごとに、フォルダが生成され、前記撮影画像の前記撮影情報がグループ化されて、前記ディジタルカメラに記憶されている。
【００１５】
本発明の好ましい実施態様においては、前記ディジタルカメラが、前記ディジタルカメラの操作部を操作することによって、前記第二のディスプレイに表示される前記撮影画像およびテレビ番組の映像の表示レイアウトを決定可能に構成されている。
【００１６】
本発明のさらに好ましい実施態様においては、前記ディジタルカメラが、前記表示レイアウトを自動的に設定する自動設定モードと、前記表示レイアウトをマニュアルで設定するマニュアル設定モードとを、前記操作部を用いて、選択可能に構成されている。
【００１７】
本発明のさらに好ましい実施態様においては、前記ディジタルカメラが、前記自動設定モードが選択されたときに、前記第一のディスプレイに、前記撮影画像および前記テレビ番組の映像を表示する表示領域が複数表示され、前記操作部を操作することによって、前記第一のディスプレイに表示された前記複数の表示領域の中から、前記撮影画像を表示する表示領域および前記テレビ番組の映像を表示する表示領域を選択可能に構成され、前記操作部を操作することによって、前記第一のディスプレイに表示される前記表示領域の数を増減可能に構成されている。
【００１８】
本発明のさらに好ましい実施態様においては、前記ディジタルカメラが、前記マニュアル設定モードが選択されたときに、前記第一のディスプレイに、前記第二のディスプレイに対応する表示領域が表示され、前記操作部を操作することによって、前記表示領域を所望の位置に移動させ、前記撮影画像を表示する表示領域または前記テレビ番組の映像を表示する表示領域として決定可能に構成されている。
【発明の効果】
【００１９】
本発明によれば、ディジタルカメラが、ディジタルカメラの操作部を操作することによって、映像再生装置の大型のディスプレイに表示される撮影画像の表示レイアウトを決定可能に構成されているから、ユーザーは、使い慣れたディジタルカメラの操作部を操作することによって、簡易に、映像再生装置の大型のディスプレイに表示される撮影画像の表示レイアウトを所望のように決定し、撮影画像を映像再生装置の大型のディスプレイに表示して、鑑賞することが可能になる。
【発明を実施するための最良の形態】
【００２０】
以下、添付図面に基づいて、本発明の好ましい実施形態につき、詳細に説明を加える。
【００２１】
図１は、本発明の好ましい実施形態にかかる画像再生システムの構成を示すブロックダイアグラムである。
【００２２】
図１に示されるように、本実施形態にかかる画像再生システムは、大型ディスプレイを有するテレビジョン１と、液晶ディスプレイを有するディジタルカメラ２とを備え、テレビジョン１とディジタルカメラ２が、無線ＬＡＮによって、ネットワーク３に接続されている。
【００２３】
図２は、テレビジョン１のシステム構成を示すブロックダイアグラムである。
【００２４】
図２に示されるように、テレビジョン１は、ディスプレイ１０と、映像データに基づいて、ディスプレイ１０に映像を表示するディスプレイコントローラ１１と、アンテナ（図示せず）を介して入力されるテレビ信号の受信チャンネルを切り替え、ディスプレイコントローラ１１に映像データを出力するチューナ１２と、ネットワーク３を介して入力される信号を受信し、信号をネットワーク３に出力する通信部１３と、メモリ１４と、テレビジョン１全体の動作を制御するコントローラ１５を備えている。
【００２５】
図３は、ディジタルカメラ２のシステム構成を示すブロックダイアグラムである。
【００２６】
図３に示されるように、ディジタルカメラ２は、撮像部２０と、液晶ディスプレイ２１と、ユーザーによって操作される操作部２２と、ネットワーク３を介して入力される信号を受信し、信号をネットワーク３に出力する通信部２３と、メモリ２４と、ディジタルカメラ２全体の動作を制御するコントローラ２５を備えている。
【００２７】
本実施形態においては、ディジタルカメラ２のメモリ２４には、撮影画像の画像データを含むイメージファイルと、各撮影画像の撮影情報を含むキーワードデータベースが格納されている。
【００２８】
ここに、各撮影画像の撮影情報は、撮影日時および撮影場所を特定するキーワードを含んでおり、撮影後に、ユーザーによって操作部２２が操作されて生成され、メモリ２４のキーワードデータベース中に保存される。
【００２９】
本実施形態においては、撮影日時および撮影場所ごとに、フォルダが生成されるように構成されており、キーワードデータベースは、このようにグループ化された撮影情報を含んでいる。
【００３０】
こうしてディジタルカメラ２によって生成された各撮影画像の撮影情報は、テレビジョン１に送信されて、テレビジョン１のメモリ１４に保存される。
【００３１】
本実施形態にかかる画像再生システムは、ディジタルカメラ２によって撮影され、メモリ２４に保存されている撮影画像を、テレビ番組の映像とともに、テレビジョン１の大型ディスプレイ１０に表示することができるように構成されているが、ディジタルカメラ２によって撮影された撮影画像をテレビジョン１の大型ディスプレイ１０に表示するのに先立って、以下のようにして、ディジタルカメラ２の操作部２２を用いて、ユーザーにより、テレビジョン１のディスプレイ１０に表示されるテレビ番組の映像と、撮影画像のレイアウトが決定されて、テレビジョン１のメモリ１４に保存される。
【００３２】
まず、ユーザーによって、ディジタルカメラ２の操作部２２に設けられたメニューボタン（図示せず）が操作されると、操作信号がコントローラ２５に出力され、コントローラ２５によって、ビデオビューファインダ（図示せず）または光学ビューファインダ（図示せず）中に、設定モード選択画面が表示される。
【００３３】
ビデオビューファインダまたは光学ビューファインダ中に表示された設定モード選択画面の中から、十字キー（図示せず）を用いて、「ＴＶ表示設定」モードを選択すると、選択信号がコントローラ２５に出力され、コントローラ２５によって、「自動設定モード」か、「マニュアル設定モード」を選択すべき旨がビデオビューファインダまたは光学ビューファインダ中に表示される。
【００３４】
ユーザーが、十字キーを用いて、「自動設定モード」を選択すると、選択信号がコントローラ２５に出力され、コントローラ２５によって、ビデオビューファインダまたは光学ビューファインダ中に、設定画面が表示される。
【００３５】
図４は、「自動設定モード」が選択されたときに、ビデオビューファインダまたは光学ビューファインダ中に表示される設定画面を示す図面である。
【００３６】
図４に示されるように、「自動設定モード」が選択されたときに、ビデオビューファインダまたは光学ビューファインダ３０中に表示される設定画面は、テレビジョン１のディスプレイ１０の画面に対応する画面領域３１と、ＴＶの表示領域が選択対象になっていることを示す表示部３２と、撮影画像の表示領域が選択対象になっていることを示す表示部３３と、テレビジョン１のディスプレイ１０の画面が何分割されているかを示す表示部３４を含んでいる。
【００３７】
本実施形態においては、テレビジョン１のディスプレイ１０の画面を９分割して、９つの画像を表示し、４分割して、４つの画像を表示し、あるいは、２分割して、２つの画像を表示することができるように構成されており、図４には、テレビジョン１のディスプレイ１０を９分割して、９つの画像を表示する場合の設定画面が示されている。
【００３８】
テレビ番組の映像を表示する表示領域を決定する場合には、十字キーを用いて、ユーザーによって、図４に示される設定画面中の表示部３２が選択され、９つの領域の中から、テレビ番組の映像を表示すべき領域が選択される。次いで、ＥＮＴＥＲキー（図示せず）が操作されると、９つの領域のうち、テレビ番組の映像を表示する領域が決定される。ここに、テレビ番組の映像を表示する領域として、２以上の領域を選択し、決定することができる。
【００３９】
一方、撮影画像を表示する位置を選択する場合には、十字キーを用いて、ユーザーによって、図４に示される設定画面中の表示部３３が選択され、９つの領域の中から、撮影画像を表示すべき領域が選択される。次いで、ＥＮＴＥＲキーが操作され、９つの領域のうち、撮影画像を表示する領域が決定される。通常、撮影画像を表示する領域として、２以上の領域が選択される。
【００４０】
こうして、テレビ番組の映像および撮影画像を表示する領域が決定されると、ディジタルカメラ２のシャッタ（図示せず）が操作されて、テレビ番組の映像および撮影画像の表示レイアウト情報がテレビジョン１に送信され、テレビジョン１のメモリ１４に保存される。
【００４１】
同時に、テレビ番組の映像および撮影画像の表示レイアウト情報は、ディジタルカメラ２のメモリ２４に保存される。
【００４２】
本実施形態においては、図４に示される設定画面がビデオビューファインダまたは光学ビューファインダ３０中に表示された状態で、ズームボタン（図示せず）をズームイン操作すると、テレビジョン１のディスプレイ１０の画面を４分割して、４つの画像を表示する場合の設定画面がビデオビューファインダまたは光学ビューファインダ３０中に表示され、さらに、ズームボタンをズームイン操作すると、テレビジョン１のディスプレイ１０の画面を２分割して、２つの画像を表示する場合の設定画面がビデオビューファインダまたは光学ビューファインダ３０中に表示される。逆に、ビデオビューファインダまたは光学ビューファインダに、テレビジョン１のディスプレイ１０を２分割して、２つの画像を表示する場合の設定画面が表示されている状態で、ズームボタンをズームアウト操作すると、テレビジョン１のディスプレイ１０の画面を４分割して、４つの画像を表示する場合の設定画面がビデオビューファインダまたは光学ビューファインダ３０中に表示され、さらに、ズームボタンをズームアウト操作すると、テレビジョン１のディスプレイ１０の画面を９分割して、９つの画像を表示する場合の設定画面がビデオビューファインダまたは光学ビューファインダ３０中に表示される。
【００４３】
したがって、テレビジョン１のディスプレイ１０の画面を４分割して、４つの画像を表示する場合あるいはテレビジョン１のディスプレイ１０の画面を２分割して、２つの画像を表示する場合にも、テレビジョン１のディスプレイ１０の画面を９分割して、９つの画像を表示する場合と同様にして、テレビ番組の映像および撮影画像を表示する領域を選択することができる。
【００４４】
これに対して、ユーザーが、十字キーを用いて、「マニュアル設定モード」を選択すると、「モード１」および「モード２」のいずれかを選択すべき旨がビデオビューファインダまたは光学ビューファインダ３０中に表示される。
【００４５】
ユーザーが、「モード１」または「モード２」を選択すると、ビデオビューファインダまたは光学ビューファインダ３０中に、設定画面が表示される。
【００４６】
図５は、ビデオビューファインダまたは光学ビューファインダ３０中に表示された設定画面を示す図面である。
【００４７】
図５に示されるように、ビデオビューファインダまたは光学ビューファインダ３０中に表示される設定画面は、テレビジョン１のディスプレイ１０の画面に対応する画像表示領域４０と、ディジタルカメラ２の液晶ディスプレイ２１の画面に対応する領域４１と、画像表示領域５０の上下に、帯状領域４２を含んでいる。
【００４８】
本実施形態においては、テレビジョン１のディスプレイ１０はハイビジョンタイプのため、アスペクト比１６：９であるのに対し、ディジタルカメラ２の液晶ディスプレイ２１のアスペクト比は４：３であるので、ディジタルカメラ２で撮影した画像をテレビジョン１のディスプレイ１０に表示するときは、帯状領域４２の部分に対応する画像部分は表示されず、画像表示領域４０内にのみ、撮影画像が表示される。
【００４９】
ここに、テレビジョン１のディスプレイ１０の画面のアスペクト比は、あらかじめ、テレビジョン１からディジタルカメラ２に送信され、ディジタルカメラ２のメモリ２４に保存されている。
【００５０】
設定画面中のテレビジョン１のディスプレイ１０の画面に対応する画像表示領域４０およびディジタルカメラ２の液晶ディスプレイの画面に対応する領域４１の大きさは、ズームボタンを操作することによって調整することができる。
【００５１】
こうして、設定画面が表示されると、ユーザーによって、テレビジョン１のディスプレイ１０の画面内におけるテレビ番組の映像および撮影画像を表示する表示領域が設定される。
【００５２】
ユーザーによって、「モード１」が選択されているときは、十字キーを用いて、ビデオビューファインダまたは光学ビューファインダ３０中で、設定画面中のテレビジョン１のディスプレイ１０の画面に対応する画像表示領域４０を移動させることができ、画像表示領域４０を所望の位置に移動した後、ＥＮＴＥＲキーを操作すると、テレビ番組の映像または撮影画像を表示すべき表示領域が設定され、次いで、「モード１」が選択されたときの初期画面が、ビデオビューファインダまたは光学ビューファインダ３０中に、再び表示される。
【００５３】
同様にして、ユーザーは十字キーを用いて、テレビ番組の映像または撮影画像を表示すべき表示領域を、所望の数だけ、設定することができる。
【００５４】
テレビ番組の映像または撮影画像を表示すべき表示領域の設定が完了したときは、ユーザーによって、続けて、ＥＮＴＥＲキーが操作される。
【００５５】
続けて、ＥＮＴＥＲキーが操作されると、ユーザーが設定したテレビ番組の映像または撮影画像を表示する表示領域がすべて、ユーザーが設定したレイアウトで、ビデオビューファインダまたは光学ビューファインダ３０中に表示される。
【００５６】
図６は、こうして、テレビ番組の映像または撮影画像を表示する表示領域が設定されたビデオビューファインダまたは光学ビューファインダ３０の画面を示す図面である。
【００５７】
図６においては、テレビ番組の映像または撮影画像を表示するための表示領域５０が３つ、一部分が重なり合うように設定されている。
【００５８】
一方、「モード２」が選択されているときは、ディジタルカメラ２を動かすことによって、設定画面中のテレビジョン１のディスプレイ１０の画面に対応する画像表示領域５０を移動させることができ、画像表示領域４０を所望の位置に移動した後、ＥＮＴＥＲキーを操作すると、テレビ番組の映像または撮影画像を表示する表示領域が設定され、次いで、「モード２」が選択されたときの初期画面が、ビデオビューファインダまたは光学ビューファインダ３０中に、再び表示される。
【００５９】
したがって、同様にして、ユーザーは十字キーを用いて、テレビ番組の映像または撮影画像を表示する表示領域を、所望の数だけ、設定することができる。
【００６０】
「モード２」が選択された場合も、「モード１」が選択された場合と同様に、テレビ番組の映像または撮影画像を表示する表示領域の設定が完了したときは、ユーザーによって、続けて、ＥＮＴＥＲキーが操作され、その結果、図６に示されるように、ユーザーが設定したテレビ番組の映像または撮影画像を表示する表示領域５０がすべて、ユーザーが設定したレイアウトで、ビデオビューファインダまたは光学ビューファインダ３０中に表示される。
【００６１】
本実施形態においては、こうして、ユーザーが設定したテレビ番組の映像または撮影画像を表示する表示領域５０がすべて、ユーザーが設定したレイアウトで、ビデオビューファインダまたは光学ビューファインダ３０中に表示された際、テレビ番組の映像を表示すべき領域を選択することができるように、最も左上側に位置している表示領域５０が赤枠で表示されるように構成されている。
【００６２】
この状態で、ＥＮＴＥＲキーが操作されると、赤枠で表示された表示領域６０が、テレビ番組の映像を表示すべき領域として決定される。
【００６３】
ＥＮＴＥＲキーが操作されると、再び、図６に示されるように、ユーザーが設定したテレビ番組の映像または撮影画像を表示する表示領域５０がすべて、ユーザーが設定したレイアウトで、ビデオビューファインダまたは光学ビューファインダ３０中に表示されるが、このときは、左上側から２番目に位置している表示領域５０が赤枠で表示される。
【００６４】
したがって、ユーザーは、２以上の表示領域５０をテレビ番組の映像を表示すべき表示領域として決定することができる。
【００６５】
こうして、テレビ番組の映像を表示すべき表示領域がすべて決定されると、テレビ番組の映像を表示すべき表示領域として指定されなかった表示領域５０が撮影画像を表示すべき領域として決定され、シャッタが操作されて、テレビ番組の映像および撮影画像の表示レイアウト情報がテレビジョン１に送信され、テレビジョン１のメモリ１４に保存される。
【００６６】
同時に、テレビ番組の映像および撮影画像の表示レイアウト情報は、ディジタルカメラ２のメモリ２４に保存される。
【００６７】
一方、ユーザーが、赤枠で表示された表示領域以外の表示領域に、テレビ番組の映像を表示したいと考えたときは、十字キーを操作することによって、他の表示領域が赤枠で表示されるようにすることができ、同様にして、テレビ番組の映像を表示すべき表示領域と撮影画像を表示すべき表示領域が決定される。
【００６８】
図６において、ＴＶはテレビ番組の映像が表示されている表示領域を示し、Ｐは撮影画像が表示されている表示領域を示している。
【００６９】
以上のようにして、あらかじめ、テレビ番組の映像および撮影画像の表示レイアウト情報が決定されて、テレビジョン１のメモリ１４に保存される。
【００７０】
図７は、本実施形態にかかる画像再生システムによって、ディジタルカメラ２のメモリ２４に記憶されている撮影画像をテレビジョン１の大型ディスプレイ１０に表示する際に、テレビジョン１およびディジタルカメラ２によって実行される処理を示すフローチャートであり、図７においては、左側に、テレビジョン１によって実行される処理が示され、右側に、ディジタルカメラ２によって実行される処理が示されている。
【００７１】
ディジタルカメラ２によって撮影され、メモリ２４に保存されている撮影画像を、テレビ番組の映像とともに、テレビジョン１の大型ディスプレイ１０に表示するときは、図７に示されるように、まず、テレビジョン１のチューナー１２が、アンテナを介してテレビ局から送信されるテレビ番組の映像データを受信する（ステップＳ１）。
【００７２】
受信されたテレビ番組の映像データは、ディスプレイコントローラ１１に出力され、テレビ番組の映像データに基づいて、番組映像がディスプレイ１０に表示される（ステップＳ２）。
【００７３】
次いで、テレビジョン１のコントローラ１５によって、テレビ番組の映像データに、映像撮影場所、映像撮影日時を含む番組情報が、データ放送の形で、付加されているか否かが判定される（ステップＳ３）。
【００７４】
その結果、映像データに番組情報が付加されていないと判定したときは、テレビジョン１のコントローラ１５は、何の処理も実行せず、テレビジョン１のディスプレイ１０に、引き続き、テレビ番組の映像が表示される。
【００７５】
これに対して、映像データに番組情報が付加されていると判定したときは、テレビジョン１のコントローラ１５は、その番組情報に含まれる映像撮影場所、映像撮影月日のいずれかが、メモリ１４に保存された撮影画像の撮影場所、撮影月日などの撮影情報のいずれかと一致するか否かを判定する（ステップＳ４）。
【００７６】
その結果、番組情報と撮影情報との間に、一致した情報があると判定したときは、テレビ番組の映像と関連がある撮影画像がディジタルカメラ２のメモリ２４に保存されているから、テレビジョン１のコントローラ１５は、通信部１３およびネットワーク３を介して、番組情報をディジタルカメラ２に送信する（ステップＳ５）。
【００７７】
これに対して、番組情報と撮影情報との間に、一致した情報がないと判定したときは、コントローラ１５は何の処理も実行せず、テレビジョン１のディスプレイ１０に、引き続き、テレビ番組の映像が表示される。
【００７８】
テレビジョン１からの番組情報は、ディジタルカメラ２の通信部２３によって受信され、テレビジョン１から、番組情報を受信すると、スリープ状態にあったディジタルカメラ２が立ち上がり、ディジタルカメラ２のコントローラ２５が、メモリ２４に格納されているキーワードデータベースにアクセスし、受信した番組情報と一致する撮影情報を含むフォルダ名が検索される（ステップＳ６）。
【００７９】
このとき、テレビジョン１が受信しているテレビ番組の映像と関連する撮影画像があることをユーザーに報知するため、ディジタルカメラ２のコントローラ２５により、スピーカー（図示せず）から、メロディーなどの音声を発生させ、あるいは、ディジタルカメラ２をバイブレーションさせるようにしてもよい。
【００８０】
次いで、ディジタルカメラ２のコントローラ２５によって、検索したフォルダ名のフォルダに含まれている画像データに基づき、撮影画像のサムネイルがディジタルカメラ２の液晶ディスプレイ２１に表示される（ステップＳ７）。
【００８１】
たとえば、番組情報に含まれる映像撮影場所が、テレビジョン１のメモリ１４に保存された撮影情報に含まれる画像の撮影場所と一致したときは、その場所で撮影され、ディジタルカメラ２のメモリ２４に保存されているすべての撮影画像が、サムネイルの形で、液晶ディスプレイ２１に表示される。
【００８２】
一方、番組情報中の映像撮影月日が、テレビジョン１のメモリ１４に保存された撮影情報に含まれる画像の撮影月日を一致したときは、その月日に撮影され、ディジタルカメラ２のメモリ２４に保存されているすべての撮影画像が、サムネイルの形で、液晶ディスプレイ２１に表示される。
【００８３】
次いで、ユーザーによって、ディジタルカメラ２の液晶ディスプレイ２１に表示された撮影画像のサムネイルの中から、テレビジョン１の大型ディスプレイ１０に表示すべき撮影画像がタッチされて、選択され、撮影画像の選択が完了すると、シャッタまたはＴＲＡＮＳＦＥＲボタンが操作される（ステップＳ８）。
【００８４】
このとき、ユーザーは、シャッタまたはＴＲＡＮＳＦＥＲボタンを操作するのに先立って、撮影画像の表示順序の指定、撮影画像のトリミング、回転、自動画像処理などの撮影画像の編集処理、テキストあるいは音声によるコメントの埋め込みなどを実行して、シナリオファイルを生成し、ディジタルカメラ２のメモリ２４に保存するとともに、画像データとともに、テレビジョン１に送信することもできる。
【００８５】
ユーザーによって、テレビジョン１の大型ディスプレイ１０に表示すべき撮影画像が選択されて、シャッタまたはＴＲＡＮＳＦＥＲボタンが操作されると、ディジタルカメラ２のコントローラ２５は、選択された撮影画像に対応する画像データおよびシナリオファイルを、通信部２３およびネットワーク３を介して、テレビジョン１に送信する（ステップＳ９）。
【００８６】
画像データおよびシナリオファイルの送信に先立って、シナリオファイルを、ディジタルカメラ２の液晶ディスプレイ２１上で、プレビューさせることもできる。
【００８７】
ディジタルカメラ２から送信された画像データは、ネットワーク３を介して、テレビジョン１の通信部１３によって受信されて、メモリ１４に一時的に記憶される（ステップＳ１０）。
【００８８】
次いで、ディジタルカメラ２のメモリ２４に保存されているテレビ番組の映像および撮影画像の表示レイアウト情報が、ディジタルカメラ２の液晶ディスプレイ２１に表示され、十字キーおよびＥＮＴＥＲキーを用いて、ユーザーにより、所望の表示レイアウト情報が指定されて、シャッタが操作される（ステップＳ１１）。
【００８９】
ユーザーによって、所望の表示レイアウト情報が指定されて、シャッタが操作されると、ディジタルカメラ２のコントローラ２５は、ユーザーにより指定された表示レイアウト情報を、通信部２３を介して、テレビジョン１に送信する（ステップＳ１２）。
【００９０】
表示レイアウト情報は、ネットワーク３を介して、テレビジョン１の通信部１３によって受信されて、テレビジョン１のディスプレイコントローラ１１およびコントローラ１５に出力され、表示レイアウト情報を受けると、コントローラ１５は、メモリ１４に一時的に記憶されている画像データを読み出して、ディスプレイコントローラ１１に出力する。画像データを受けると、ディスプレイコントローラ１１は、対応する撮影画像およびテレビ番組の映像を、ユーザーによって指定された表示レイアウト情報にしたがって、テレビジョン１のディスプレイ１０に表示する（ステップＳ１３）。
【００９１】
その結果、テレビジョン１のディスプレイ１０には、テレビ番組の映像と、それと所定の関連性を有する撮影画像とが、ユーザーによって指定された表示レイアウト情報にしたがって、表示され、ユーザーは撮影画像を、テレビ番組の映像ととともに、テレビジョン１の大型ディスプレイ１０に表示して鑑賞することができる。
【００９２】
本実施形態においては、テレビ番組の映像と撮影画像を鑑賞中に、ディジタルカメラ２のズームボタンを操作することによって、テレビジョン１のディスプレイ１０内の表示領域の数を増減させることができるように構成されている。
【００９３】
たとえば、図８に示されるように、テレビジョン１のディスプレイ１０の９つの表示領域内に、テレビ番組の映像と撮影画像が表示されているときに、ユーザーにより、ディジタルカメラ２のズームボタンを用いて、ズームイン操作がされると、ディジタルカメラ２のコントローラ２５から、テレビジョン１に表示レイアウト変更信号が送信され、テレビジョン１のディスプレイコントローラ１１によって、図９に示されるように、テレビジョン１のディスプレイ１０に表示されている表示領域の数が４つに減少される。本実施形態においては、テレビジョン１のディスプレイ１０に表示されている表示領域のうち、左上側に近いほど、重要性が高い画像が表示されていることを前提にしているから、テレビジョン１のディスプレイ１０に表示されていた９つの表示領域のうえち、左上側に近い４つの表示領域が拡大されて、残される。したがって、テレビジョン１のディスプレイ１０の左上側に近い表示領域に表示されている撮影画像を拡大して、鑑賞することができる。図８および図９において、ＴＶはテレビ番組の映像が表示されている表示領域を示し、Ｐは撮影画像が表示されている表示領域を示している。
【００９４】
一方、図９に示されるように、テレビジョン１のディスプレイ１０の９つの表示領域内に、テレビ番組の映像と撮影画像が表示されているときに、ユーザーにより、ディジタルカメラ２のズームボタンを用いて、ズームアウト操作がされると、ディジタルカメラ２のコントローラ２５から、テレビジョン１に表示レイアウト変更信号が送信され、テレビジョン１のディスプレイコントローラ１１によって、図８に示されるように、テレビジョン１のディスプレイ１０に表示されている表示領域の数が９つに増加される。
【００９５】
本実施形態によれば、テレビジョン１が受信しているテレビ番組の映像撮影場所と同じ場所で撮影をした撮影画像がディジタルカメラ２のメモリ２４に保存されているときに、それらの撮影画像をテレビジョン１の大型ディスプレイ１０に表示することができるから、たとえば、ユーザーが旅行をしたことがある場所に関するテレビ番組をテレビジョン１が受信し、番組映像がディスプレイ１０に表示されているときに、その旅行の際に撮影をした画像を同時に、テレビジョン１のディスプレイ１０に表示させることができ、したがって、ディジタルカメラ２によって撮影されていながら、忘れ去られた撮影画像や忘れ去られかけている撮影画像を、その撮影画像に関連するテレビ番組をテレビジョン１が受信したときに、テレビジョン１の大型ディスプレイ１０に表示して、鑑賞することが可能になる。
【００９６】
また、本実施形態によれば、テレビジョン１が受信しているテレビ番組の映像撮影月日と同じ月日に撮影をした撮影画像がディジタルカメラ２のメモリ２４に保存されているときに、それらの撮影画像をテレビジョン１の大型ディスプレイ１０に表示することができるから、テレビ番組の映像撮影月日と同じ月日に撮影をした数年前の撮影画像を、番組映像とともに、テレビジョン１のディスプレイ１０に表示させることができ、したがって、ディジタルカメラ２によって撮影されていながら、忘れ去られた撮影画像や忘れ去られかけている数年前の撮影画像を、同じ月日に撮影をしたテレビ番組の映像とともに、テレビジョン１の大型ディスプレイ１０に表示して、鑑賞することが可能になる。
【００９７】
さらに、本実施形態によれば、テレビジョン１が受信しているテレビ番組の映像と所定の関連性がある撮影画像がディジタルカメラ２のメモリ２４に保存されているときに、それらの撮影画像が、ディジタルカメラ２の液晶ディスプレイ２１に表示され、ユーザーによって、ディジタルカメラ２の液晶ディスプレイ２１に表示された撮影画像の中から、テレビジョン１のディスプレイ１０に表示すべき撮影画像が選択されるように構成されているから、友人たちとともに、テレビ番組を鑑賞しているときに、ユーザーが所望しないきわめてプライベートな撮影画像が、テレビジョン１の大型ディスプレイ１０に表示されることを確実に防止することができ、プライバシーを守りつつ、撮影画像をテレビジョン１の大型ディスプレイ１０に表示して、友人たちとともに、鑑賞することが可能になる。
【００９８】
また、本実施形態によれば、テレビジョン１が受信しているテレビ番組の映像と所定の関連性がある撮影画像がディジタルカメラ２のメモリ２４に保存されているときに、それらの撮影画像が、ディジタルカメラ２の液晶ディスプレイ２１に表示され、ユーザーによって、ディジタルカメラ２の液晶ディスプレイ２１に表示された撮影画像の中から、テレビジョン１のディスプレイ１０に表示すべき撮影画像が選択されるように構成されているから、ディジタルカメラ２からテレビジョン１に送信するデータ量を大幅に減少させることができ、したがって、テレビジョン１の大型ディスプレイ１０に速やかに撮影画像を表示することが可能になる。
【００９９】
さらに、本実施形態によれば、ユーザーによって選択された撮影画像の画像データのみが、ディジタルカメラ２からテレビジョン１に送信されるように構成されているから、解像度変換などの画像処理を施した上で、画像データをテレビジョン１に送信することができ、したがって、ディジタルカメラ２からテレビジョン１に送信するデータ量をより一層減少させることが可能になる。
【０１００】
また、本実施形態によれば、ユーザーが、使い慣れたディジタルカメラ２の操作部２２を操作することによって、テレビジョン１のディスプレイ１０に表示されるテレビ番組と撮影画像のレイアウトを決定することができるように構成されているから、簡易に、かつ、所望のように、テレビジョン１のディスプレイ１０に表示されるテレビ番組と撮影画像のレイアウトを決定することが可能になる。
【０１０１】
図１０は、本発明の別の好ましい実施形態にかかる画像再生システムの構成を示すブロックダイアグラムである。
【０１０２】
図１０に示されるように、本実施形態にかかる画像再生システムは、大型ディスプレイを有するテレビジョン１と、液晶ディスプレイを有するディジタルカメラ２と、パーソナルコンピュータ４を備え、テレビジョン１、ディジタルカメラ２およびパーソナルコンピュータ４は、無線ＬＡＮによって、ネットワーク３に接続されている。
【０１０３】
本実施形態においては、ディジタルカメラ２によって撮影された画像の画像データを含むイメージファイルが、パーソナルコンピュータ４のハードディスク（図示せず）に保存されている。
【０１０４】
本実施形態においても、前記実施形態と同様にして、テレビ番組の映像および撮影画像の表示レイアウト情報が生成され、テレビジョン１のメモリ１４およびディジタルカメラ２のメモリ２４に保存される。
【０１０５】
図１１は、本実施形態にかかる画像再生システムによって、ディジタルカメラ２のメモリ２４に記憶されている撮影画像をテレビジョン１の大型ディスプレイ１０に表示する際に、テレビジョン１およびディジタルカメラ２によって実行される処理を示すフローチャートであり、図１１においては、左側に、テレビジョン１によって実行される処理が示され、右側に、ディジタルカメラ２によって実行される処理が示されている。
【０１０６】
ディジタルカメラ２によって撮影され、メモリ２４に保存されている撮影画像を、テレビ番組の映像とともに、テレビジョン１の大型ディスプレイ１０に表示するときは、図１１に示されるように、まず、テレビジョン１のチューナー１２が、アンテナを介してテレビ局から送信されるテレビ番組の映像データを受信する（ステップＳ２１）。
【０１０７】
受信されたテレビ番組の映像データは、ディスプレイコントローラ１１に出力され、テレビ番組の映像データに基づいて、番組映像がディスプレイ１０に表示される（ステップＳ２２）。
【０１０８】
次いで、テレビジョン１のコントローラ１５によって、テレビ番組の映像データに、映像撮影場所、映像撮影日時を含む番組情報が、データ放送の形で、付加されているか否かが判定される（ステップＳ２３）。
【０１０９】
その結果、映像データに番組情報が付加されていないと判定したときは、テレビジョン１のコントローラ１５は、何の処理も実行せず、テレビジョン１のディスプレイ１０に、引き続き、テレビ番組の映像が表示される。
【０１１０】
これに対して、映像データに番組情報が付加されていると判定したときは、テレビジョン１のコントローラ１５は、その番組情報に含まれる映像撮影場所、映像撮影月日のいずれかが、メモリ１４に保存された撮影画像の撮影場所、撮影月日などの撮影情報のいずれかと一致するか否かを判定する（ステップＳ２４）。
【０１１１】
その結果、番組情報と撮影情報との間に、一致した情報があると判定したときは、テレビ番組の映像と関連がある撮影画像がディジタルカメラ２のメモリ２４に保存されていると考えられるから、テレビジョン１のコントローラ１５は、通信部１３およびネットワーク３を介して、番組情報をディジタルカメラ２に送信する（ステップＳ２５）。
【０１１２】
これに対して、番組情報と撮影情報との間に、一致した情報がないと判定したときは、コントローラ１５は何の処理も実行せず、テレビジョン１のディスプレイ１０に、引き続き、テレビ番組の映像が表示される。
【０１１３】
テレビジョン１からの番組情報は、ディジタルカメラ２の通信部２３によって受信され、テレビジョン１から、番組情報を受信すると、スリープ状態にあったディジタルカメラ２が立ち上がり、ディジタルカメラ２のコントローラ２５が、メモリ２４に格納されているキーワードデータベースにアクセスし、受信した番組情報と一致する撮影情報を含むフォルダ名が検索される（ステップＳ２６）。
【０１１４】
このとき、テレビジョン１が受信しているテレビ番組の映像と関連する撮影画像があることをユーザーに報知するため、ディジタルカメラ２のコントローラ２５により、スピーカー（図示せず）から、メロディーなどの音声を発生させ、あるいは、ディジタルカメラ２をバイブレーションさせるようにしてもよい。
【０１１５】
キーワードデータベースから、受信した番組情報と一致する撮影情報を含むフォルダ名が検索されると、ディジタルカメラ２のコントローラ２５は、ネットワーク３を介して、パーソナルコンピュータ４のハードディスク（図示せず）にアクセスし、検索したフォルダ名のフォルダに含まれた画像データを読み出して、撮影画像のサムネイルをディジタルカメラ２の液晶ディスプレイ２１に表示する（ステップＳ２７）。
【０１１６】
次いで、ユーザーによって、ディジタルカメラ２の液晶ディスプレイ２１に表示された撮影画像のサムネイルの中から、テレビジョン１の大型ディスプレイ１０に表示すべき撮影画像がタッチされて、選択され、撮影画像の選択が完了すると、シャッタまたはＴＲＡＮＳＦＥＲボタンが操作される（ステップＳ２８）。
【０１１７】
このとき、ユーザーは、シャッタまたはＴＲＡＮＳＦＥＲボタンを操作するのに先立って、撮影画像の表示順序の指定、撮影画像のトリミング、回転、自動画像処理などの撮影画像の編集処理、テキストあるいは音声によるコメントの埋め込みなどを実行して、シナリオファイルを生成し、ディジタルカメラ２のメモリ２４に保存するとともに、画像データとともに、テレビジョン１に送信することもできる。
【０１１８】
ユーザーによって、テレビジョン１の大型ディスプレイ１０に表示すべき撮影画像が選択されて、シャッタまたはＴＲＡＮＳＦＥＲボタンが操作されると、ディジタルカメラ２のコントローラ２５は、選択された撮影画像に対応する画像データおよびシナリオファイルを、通信部２３およびネットワーク３を介して、テレビジョン１に送信する（ステップＳ２９）。
【０１１９】
画像データおよびシナリオファイルの送信に先立って、シナリオファイルを、ディジタルカメラ２の液晶ディスプレイ２１上で、プレビューさせることもできる。
【０１２０】
ディジタルカメラ２から送信された画像データは、ネットワーク３を介して、テレビジョン１の通信部１３によって受信されて、メモリ１４に一時的に記憶される（ステップＳ３０）。
【０１２１】
次いで、ディジタルカメラ２のメモリ２４に保存されているテレビ番組の映像および撮影画像の表示レイアウト情報が、ディジタルカメラ２の液晶ディスプレイ２１に表示され、十字キーおよびＥＮＴＥＲキーを用いて、ユーザーにより、所望の表示レイアウト情報が指定されて、シャッタが操作される（ステップＳ３１）。
【０１２２】
ユーザーによって、所望の表示レイアウト情報が指定されて、シャッタが操作されると、ディジタルカメラ２のコントローラ２５は、指定された表示レイアウト情報を、送信部２４を介して、テレビジョン１に送信する（ステップＳ３２）。
【０１２３】
表示レイアウト情報は、ネットワーク３を介して、テレビジョン１の通信部１３によって受信されて、テレビジョン１のディスプレイコントローラ１１およびコントローラ１５に出力され、表示レイアウト情報を受けると、コントローラ１５は、メモリ１４に一時的に記憶されている画像データを読み出して、ディスプレイコントローラ１１に出力する。画像データを受けると、ディスプレイコントローラ１１は、対応する撮影画像およびテレビ番組の映像を、ユーザーによって指定された表示レイアウト情報にしたがって、テレビジョン１のディスプレイ１０に表示する（ステップＳ３３）。
【０１２４】
その結果、テレビジョン１のディスプレイ１０には、テレビ番組の映像と、それと所定の関連性を有する撮影画像とが、ユーザーによって指定された表示レイアウト情報にしたがって、表示され、ユーザーは撮影画像を、テレビ番組の映像ととともに、テレビジョン１の大型ディスプレイ１０に表示して鑑賞することができる。
【０１２５】
本実施形態においても、テレビ番組の映像と撮影画像を鑑賞中に、ディジタルカメラ２のズームボタンを操作することによって、テレビジョン１のディスプレイ１０内の表示領域の数を増減させることができるように構成されている。
【０１２６】
本実施形態によれば、ディジタルカメラ２によって撮影された画像の画像データを含むイメージファイルが、パーソナルコンピュータ４のハードディスクに保存されるように構成されているから、大量の画像データを保存することができ、きわめて前に撮影した画像を、テレビ番組の映像とともに、テレビジョン１のディスプレイ１０に表示して、鑑賞することが可能になる。
【０１２７】
図１２は、本発明の他の好ましい実施形態にかかる画像再生システムのディジタルカメラ３のシステム構成を示すブロックブロックダイアグラムである。
【０１２８】
図１２に示されるように、ディジタルカメラ２は、撮像部２０と、液晶ディスプレイ２１と、ユーザーによって操作される操作部２２と、映像データに基づいて、液晶ディスプレイ２１に映像を表示するディスプレイコントローラ２６と、アンテナ（図示せず）を介して入力されるテレビ信号の受信チャンネルを切り替え、ディスプレイコントローラ２６に映像データを出力するチューナ２７と、ネットワーク３を介して入力される信号を受信し、信号をネットワーク３に出力する通信部２３と、メモリ２４と、ディジタルカメラ２全体の動作を制御するコントローラ２５を備えている。
【０１２９】
本実施形態にかかる画像再生システムは、ディジタルカメラ２がチューナ２７を有し、テレビ番組を受信可能に構成されている点を除いて、図１ないし図９に示された画像再生システムと同様の構成を有している。
【０１３０】
本実施形態においては、前記実施形態とは異なり、ディジタルカメラ２によって生成されたテレビ番組の映像および撮影画像の表示レイアウト情報は、ディジタルカメラ２のメモリ２４にのみ保存される。
【０１３１】
図１３は、本実施形態にかかる画像再生システムによって、ディジタルカメラ２のメモリ２４に記憶されている撮影画像をテレビジョン１の大型ディスプレイ１０に表示する際に、テレビジョン１およびディジタルカメラ２によって実行される処理を示すフローチャートであり、図１３においては、左側に、テレビジョン１によって実行される処理が示され、右側に、ディジタルカメラ２によって実行される処理が示されている。
【０１３２】
ディジタルカメラ２によって撮影され、メモリ２４に保存されている撮影画像を、テレビ番組の映像とともに、テレビジョン１の大型ディスプレイ１０に表示するときは、図１３に示されるように、まず、テレビジョン１のチューナー１２が、アンテナを介してテレビ局から送信されるテレビ番組の映像データを受信する。（ステップＳ４１）。
【０１３３】
同時に、ディジタルカメラ２のチューナー２７が、アンテナを介してテレビ局から送信されるテレビ番組の映像データを受信する（ステップＳ４２）。
【０１３４】
テレビジョン１のチューナー１２によって受信されたテレビ番組の映像データは、ディスプレイコントローラ１１に出力され、テレビ番組の映像データに基づいて、番組映像がディスプレイ１０に表示される（ステップＳ４３）。
【０１３５】
同時に、ディジタルカメラ２のチューナー２７によって受信されたテレビ番組の映像データは、ディスプレイコントローラ２６に出力され、テレビ番組の映像データに基づいて、番組映像が液晶ディスプレイ２１に表示される（ステップＳ４４）。
【０１３６】
次いで、ディジタルカメラ２のコントローラ２５によって、テレビ番組の映像データに、映像撮影場所、映像撮影日時を含む番組情報が、データ放送の形で、付加されているか否かが判定される（ステップＳ４５）。
【０１３７】
その結果、映像データに番組情報が付加されていないと判定したときは、ディジタルカメラ２のコントローラ２５は、何の処理も実行せず、ディジタルカメラ２の液晶ディスプレイ２１には、引き続き、テレビ番組の映像が表示される。
【０１３８】
これに対して、映像データに番組情報が付加されていると判定したときは、ディジタルカメラ２のコントローラ２５は、メモリ２４に格納されているキーワードデータベースにアクセスして、その番組情報に含まれる映像撮影場所、映像撮影月日のいずれかが、キーワードデータベースに含まれている撮影画像の撮影場所、撮影月日などの撮影情報のいずれかと一致するか否かを判定する（ステップＳ４６）。
【０１３９】
その結果、番組情報と撮影情報との間に、一致した情報があると判定したときは、ディジタルカメラ２のコントローラ２５は、番組情報と一致した撮影情報を含むフォルダ名をキーワードデータベースから検索する（ステップＳ４７）。
【０１４０】
このとき、テレビジョン１が受信しているテレビ番組の映像と関連する撮影画像があることをユーザーに報知するため、ディジタルカメラ２のコントローラ２５により、スピーカー（図示せず）から、メロディーなどの音声を発生させ、あるいは、ディジタルカメラ２をバイブレーションさせるようにしてもよい。
【０１４１】
キーワードデータベースから、受信した番組情報と一致する撮影情報を含むフォルダ名が検索されると、ディジタルカメラ２のコントローラ２５は、検索したフォルダ名のフォルダに含まれている画像データをメモリ２４から読み出して、ディスプレイコントローラ２６に出力し、ディスプレイコントローラ２６によって、画像データに基づき、対応する撮影画像のサムネイルがディジタルカメラ２の液晶ディスプレイ２１に表示される（ステップＳ４８）。
【０１４２】
次いで、ユーザーによって、ディジタルカメラ２の液晶ディスプレイ２１に表示された撮影画像のサムネイルの中から、テレビジョン１の大型ディスプレイ１０に表示すべき撮影画像がタッチされて、選択され、撮影画像の選択が完了すると、シャッタまたはＴＲＡＮＳＦＥＲボタンが操作される（ステップＳ４９）。
【０１４３】
このとき、ユーザーは、シャッタまたはＴＲＡＮＳＦＥＲボタンを操作するのに先立って、撮影画像の表示順序の指定、撮影画像のトリミング、回転、自動画像処理などの撮影画像の編集処理、テキストあるいは音声によるコメントの埋め込みなどを実行して、シナリオファイルを生成し、ディジタルカメラ２のメモリ２４に保存するとともに、画像データとともに、テレビジョン１に送信することもできる。
【０１４４】
ユーザーによって、テレビジョン１の大型ディスプレイ１０に表示すべき撮影画像が選択されて、シャッタまたはＴＲＡＮＳＦＥＲボタンが操作されると、ディジタルカメラ２のコントローラ２５は、選択された撮影画像に対応する画像データおよびシナリオファイルを、通信部２３およびネットワーク３を介して、テレビジョン１に送信する（ステップＳ５０）。
【０１４５】
画像データおよびシナリオファイルの送信に先立って、シナリオファイルを、ディジタルカメラ２の液晶ディスプレイ２１上で、プレビューさせることもできる。
【０１４６】
ディジタルカメラ２から送信された画像データは、ネットワーク３を介して、テレビジョン１の通信部１３によって受信されて、メモリ１４に一時的に記憶される（ステップＳ５１）。
【０１４７】
次いで、ディジタルカメラ２のメモリ２４に保存されているテレビ番組の映像および撮影画像の表示レイアウト情報が、ディスプレイコントローラ２６によって読み出されて、ディジタルカメラ２の液晶ディスプレイ２１に表示され、十字キーおよびＥＮＴＥＲキーを用いて、ユーザーにより、所望の表示レイアウト情報が指定されて、シャッタが操作される（ステップＳ５２）。
【０１４８】
ユーザーによって、所望の表示レイアウト情報が指定されて、シャッタが操作されると、ディジタルカメラ２のコントローラ２５は、ユーザーにより指定された表示レイアウト情報を、通信部２３を介して、テレビジョン１に送信する（ステップＳ５３）。
【０１４９】
表示レイアウト情報は、ネットワーク３を介して、テレビジョン１の通信部１３によって受信されて、テレビジョン１のディスプレイコントローラ１１およびコントローラ１５に出力され、表示レイアウト情報を受けると、コントローラ１５は、メモリ１４に一時的に記憶されている画像データを読み出して、ディスプレイコントローラ１１に出力する。画像データを受けると、ディスプレイコントローラ１１は、対応する撮影画像およびテレビ番組の映像を、ユーザーによって指定された表示レイアウト情報にしたがって、テレビジョン１のディスプレイ１０に表示する（ステップＳ５４）。
【０１５０】
その結果、テレビジョン１のディスプレイ１０には、テレビ番組の映像と、それと所定の関連性を有する撮影画像とが、ユーザーによって指定された表示レイアウト情報にしたがって、表示され、ユーザーは撮影画像を、テレビ番組の映像ととともに、テレビジョン１の大型ディスプレイ１０に表示して鑑賞することができる。
【０１５１】
本実施形態においても、テレビ番組の映像と撮影画像を鑑賞中に、ディジタルカメラ２のズームボタンを操作することによって、テレビジョン１のディスプレイ１０内の表示領域の数を増減させることができるように構成されている。
【０１５２】
本実施形態によれば、ディジタルカメラ２がテレビ番組を受信可能に構成され、ディジタルカメラ２のコントローラ２５が、メモリ２４に格納されているキーワードデータベースにアクセスして、テレビ番組の番組情報に含まれる映像撮影場所、映像撮影月日のいずれかが、キーワードデータベースに含まれている撮影画像の撮影場所、撮影月日などの撮影情報のいずれかと一致するか否かを判定する。その結果、番組情報と撮影情報との間に、一致した情報があると判定したときは、ディジタルカメラ２のコントローラ２５が、番組情報と一致した撮影情報を含むフォルダ名をキーワードデータベースから検索し、検索したフォルダ名のフォルダに含まれている画像データをメモリ２４から読み出して、ディスプレイコントローラ２６に出力し、ディスプレイコントローラ２６によって、画像データに基づき、対応する撮影画像のサムネイルがディジタルカメラ２の液晶ディスプレイ２１に表示されるように構成されている。したがって、テレビジョン１のメモリ１４に、各撮影画像の撮影情報が保存されている必要がないから、特定のテレビジョン１以外のテレビジョン１のディスプレイ１０に、撮影画像を、テレビ番組の映像とともに表示し、鑑賞することが可能になる。
【０１５３】
本発明は、以上の実施形態に限定されることなく、特許請求の範囲に記載された発明の範囲内で種々の変更が可能であり、それらも本発明の範囲内に包含されるものであることはいうまでもない。
【０１５４】
たとえば、前記実施形態においては、撮影画像の撮影情報として、撮影場所および撮影日時が用いられ、受信しているテレビ番組に含まれている映像と同じ場所で撮影された画像あるいは同じ月日に撮影された画像があるときに、その撮影画像を、番組映像とともに、テレビジョン１の大型ディスプレイ１０に表示するように構成されているが、撮影画像の撮影情報としては、撮影場所および撮影日時に限らず、ＧＰＳなどの位置特定情報、旅行、同窓会、スポーツなどの撮影写真のジャンルに関する情報なども撮影情報として用いることができる。換言すれば、テレビ番組の映像データに付加され得る番組情報に対応する情報はすべて、撮影画像の撮影情報として用いることができ、これにより、テレビ番組の映像に関連する撮影画像を、番組映像とともに、テレビジョン１の大型ディスプレイ１０にタイムリーに表示し、鑑賞することが可能になる。
【０１５５】
さらに、前記実施形態においては、ユーザーはディジタルカメラ２を用いて、テレビジョン１のディスプレイ１０に表示すべき撮影画像の選択などの操作を実行しているが、これらの操作をリモートコントローラを用いて実行するように構成することもできる。
【０１５６】
また、図１ないし図９に示された実施形態ならびに図１２および図１３に示された実施形態においては、テレビジョン１とディジタルカメラ２が無線ＬＡＮによって接続されているが、テレビジョン１の映像音声入力とディジタルカメラ２の映像音声出力とが、ケーブルによって接続されていてもよい。
【０１５７】
さらに、図１ないし図９に示された実施形態ならびに図１２および図１３に示された実施形態においては、テレビジョン１とディジタルカメラ２が無線ＬＡＮによって接続され、図１０および図１１に示された実施形態においては、テレビジョン１、ディジタルカメラ２およびパーソナルコンピュータ４が無線ＬＡＮによって接続されているが、有線によって接続されていてもよい。
【０１５８】
また、前記実施形態においては、データ放送の形で、映像データに付加されている番組情報に基づいて、撮影画像を選択するように構成されているが、ナレーションなど、映像データに付加されている音声データから、番組情報を抽出し、撮影画像を選択するように構成することもできる。
【０１５９】
さらに、前記実施形態においては、テレビジョン１が受信しているテレビ番組の映像と関連する撮影画像があるときに、ディジタルカメラ２のコントローラ２５により、スピーカー（図示せず）から、メロディーなどの音声を発生させ、あるいは、ディジタルカメラ２をバイブレーションさせるように構成されているが、アイコンなどを用いて、テレビジョン１が受信しているテレビ番組の映像と関連する撮影画像があることをユーザーに報知するようにしてもよく、さらには、テレビジョン１から音声を発生させたり、テレビジョン１のディスプレイ１０に特定のマークなどを表示させて、テレビジョン１が受信しているテレビ番組の映像と関連する撮影画像があることをユーザーに報知するように構成することもできる。
【０１６０】
また、前記実施形態においては、テレビジョン１が受信しているテレビ番組の映像と関連する撮影画像があったときに、撮影画像のサムネイルがディジタルカメラ２の液晶ディスプレイ２１に表示されるように構成されているが、テレビ番組の映像と撮影画像の撮影場所が一致した場合には、ディジタルカメラ２の液晶ディスプレイ２１に地図を表示し、地図上に、撮影画像のサムネイルをマッピングするようにしてもよい。
【０１６１】
さらに、前記実施形態においては、ユーザーによって、ディジタルカメラ２の液晶ディスプレイ２１に表示された撮影画像のサムネイルの中から、テレビジョン１の大型ディスプレイ１０に表示すべき撮影画像がタッチされて、選択されるように構成されているが、十字キーおよびＥＮＴＥＲキーを用いて、ディジタルカメラ２の液晶ディスプレイ２１に表示された撮影画像のサムネイルの中から、テレビジョン１の大型ディスプレイ１０に表示すべき撮影画像を選択することもでき、さらに、図１２および図１３に示された実施形態においては、ディジタルカメラ２のチャンネルキー（図示せず）を用いて、テレビジョン１の大型ディスプレイ１０に表示すべき撮影画像を選択することもできる。
【０１６２】
また、前記実施形態においては、ディジタルカメラ２は、「自動設定モード」あるいは「マニュアル設定モード」を選択して、テレビ番組の映像および撮影画像の表示レイアウトを決定することができるように構成されているが、ディジタルカメラ２が、「自動設定モード」によってのみ、あるいは、「マニュアル設定モード」によってのみ、テレビ番組の映像および撮影画像の表示レイアウトを決定することができるように構成されていてもよい。
【０１６３】
さらに、前記実施形態においては、受信しているテレビ番組に含まれている映像と同じ場所で撮影された画像あるいは同じ月日に撮影された画像があるときに、その撮影画像を、番組映像とともに、テレビジョン１の大型ディスプレイ１０に表示するように構成されているが、ビデオレコーダ、ＤＶＤレコーダあるいはハードディスクレコーダによって再生される映像データに、その映像が撮影された場所および撮影日時に関する情報が付加されている場合には、ビデオレコーダ、ＤＶＤレコーダあるいはハードディスクレコーダによって再生されている映像と同じ場所で撮影された画像あるいは同じ月日に撮影された画像があるときに、その撮影画像を、映像とともに、テレビジョン１の大型ディスプレイ１０に表示するように構成することもできる。
【０１６４】
また、前記実施形態においては、選択された撮影画像に対応する画像データをテレビジョン１に送信するたびに、表示レイアウト情報が、ディジタルカメラ２からテレビジョン１に送信されるように構成されているが、選択された撮影画像に対応する画像データをテレビジョン１に送信するたびに、表示レイアウト情報を、ディジタルカメラ２からテレビジョン１に送信することは必ずしも必要でなく、テレビジョン１が、ディジタルカメラ２から表示レイアウト情報の送信を受けるたびに、メモリ１４に記憶されている表示レイアウト情報を更新して記憶し、あるいは、テレビジョン１のメモリ１４が初期表示レイアウト情報のみを記憶し、ディジタルカメラ２からテレビジョン１に表示レイアウト情報が送信されないときは、テレビジョン１が、メモリ１４に記憶された表示レイアウト情報にしたがって、撮影画像およびテレビ番組の映像をディスプレイ１０に表示するように構成することもできる。したがって、テレビジョン１のメモリ１４は、１つの表示レイアウト情報を記憶していれば十分である。
【図面の簡単な説明】
【０１６５】
【図１】図１は、本発明の好ましい実施形態にかかる画像再生システムの構成を示すブロックダイアグラムである。
【図２】図２は、テレビジョンのシステム構成を示すブロックダイアグラムである。
【図３】図３は、ディジタルカメラのシステム構成を示すブロックダイアグラムである。
【図４】図４は、「自動設定モード」が選択されたときに、ビデオビューファインダまたは光学ビューファインダ中に表示される設定画面を示す図面である。
【図５】図５は、ビデオビューファインダまたは光学ビューファインダ中に表示された設定画面を示す図面である。
【図６】図６は、テレビ番組の映像または撮影画像を表示する表示領域が設定されたビデオビューファインダまたは光学ビューファインダの画面を示す図面である。
【図７】図７は、本発明の好ましい実施形態にかかる画像再生システムによって、ディジタルカメラのメモリに記憶されている撮影画像をテレビジョンのディスプレイに表示する際に、テレビジョンおよびディジタルカメラによって実行される処理を示すフローチャートである。
【図８】図８は、テレビジョンのディスプレイの画面を示す図面である。
【図９】図９は、テレビジョンのディスプレイの画面を示す図面である。
【図１０】図１０は、本発明の別の好ましい実施形態にかかる画像再生システムの構成を示すブロックダイアグラムである。
【図１１】図１１は、本発明の別の好ましい実施形態にかかる画像再生システムによって、ディジタルカメラのメモリに記憶されている撮影画像をテレビジョンのディスプレイに表示する際に、テレビジョンおよびディジタルカメラによって実行される処理を示すフローチャートである。
【図１２】図１２は、本発明の他の好ましい実施形態にかかる画像再生システムのディジタルカメラ３のシステム構成を示すブロックブロックダイアグラムである。
【図１３】図１３は、本発明の他の好ましい実施形態にかかる画像再生システムによって、ディジタルカメラのメモリに記憶されている撮影画像をテレビジョンのディスプレイに表示する際に、テレビジョンおよびディジタルカメラによって実行される処理を示すフローチャートである。
【符号の説明】
【０１６６】
１  テレビジョン
２  ディジタルカメラ
３  ネットワーク
４  パーソナルコンピュータ
１０  テレビジョンのディスプレイ
１１  ディスプレイコントローラ
１２  チューナ
１３  通信部
１４  メモリ
１５  コントローラ
２０  撮像部
２１  液晶ディスプレイ
２２  操作部
２３  通信部
２４  メモリ
２５  コントローラ
２６  ディスプレイコントローラ
２７  チューナ
【図１】
2008079111.tif 000003
【図２】
2008079111.tif 000004
【図３】
2008079111.tif 000005
【図４】
2008079111.tif 000006
【図５】
2008079111.tif 000007
【図６】
2008079111.tif 000008
【図７】
2008079111.tif 000009
【図８】
2008079111.tif 000010
【図９】
2008079111.tif 000011
【図１０】
2008079111.tif 000012
【図１１】
2008079111.tif 000013
【図１２】
2008079111.tif 000014
【図１３】
2008079111.tif 000015